(57)【特許請求の範囲】
【請求項１】
機器本体の収容部に着脱自在に収容される貯水タンクと、この貯水タンクの天面に前記本体から水滴を受ける注水口と、前記貯水タンクに溜まった水を排水するように前記貯水タンクの天面における一端側に設けられる排水口とを備え、前記貯水タンクの排水時に貯水タンク内に空気を供給し排水を容易にする排水空気孔を、前記一端側に対向する他端側の天面に設け、前記注水口は前記排水空気孔を兼ねて形成し、前記排水口を密閉する着脱自在なタンクキャップを設け、前記タンクキャップに貯水空気孔を設け、前記タンクキャップの前記貯水空気孔の位置を前記貯水タンク内で波立ちが生じても波立ちが小さくなるようにタンク蓋の中心側に寄せて形成した貯水装置。
【発明の詳細な説明】
【技術分野】
【０００１】
本発明は、除湿装置などの機器本体に着脱自在に設けられるドレンタンクを設けた貯水装置に関する。
【背景技術】
【０００２】
従来、この種の貯水装置の一例としてドレン水を貯水するドレンタンクが知られている（例えば、特許文献１参照）。
【０００３】
以下、そのドレンタンクについて図７および図８を参照しながら説明する。
【０００４】
図に示すように、ドレンタンク１０１の上面１０２にドレンタンク水をドレンタンク１０１内に導入するドレン口１０３を設け、ドレンタンク１０１の前面１０４と上面１０２に取手１０５、１０６を設け、ドレンタンク１０１内に貯水されたドレン水を排水するときには、図８に示すように、上面１０２に設けた取手１０６を持ってドレンタンク１０１を傾けてドレン口１０３より排水するように構成している。
【特許文献１】特開平１０−２２７４８２号公報（［００１７］［００２４］）、図２、図５）
【発明の開示】
【発明が解決しようとする課題】
【０００５】
このような従来のドレンタンクでは、排水時に密閉状態のドレンタンク１０１に設けたドレン口１０３より排水していたので、ドレン口１０３よりドレン水が排水されるに伴いドレンタンク１０１内に空気の流入がないために、ドレンタンク１０１内が負圧状態となり、ドレン口１０３からの排水がしにくく、また、ドレンタンク１０１の上面中央に凹部１０７が障害となって、ドレン口１０３と反対側のタンク内に水が入りにくいという課題があり、排水をし易くするとともに、ドレンタンク内のデットスペースをなくして全ての容積に水が入ることが要求されている。
【０００６】
本発明は、上記課題を解決するもので、ドレンタンクに溜まったドレン水の排水がし易く、ドレンタンク内の貯水容量を有効に利用することのできる貯水装置を提供することを目的としている。
【課題を解決するための手段】
【００１５】
本発明の貯水装置は上記目的を達成するために、機器本体の収容部に着脱自在に収容される貯水タンクと、この貯水タンクの天面に前記本体から水滴を受ける注水口と、前記貯水タンクに溜まった水を排水するように前記貯水タンクの天面における一端側に設けられる排水口とを備え、前記貯水タンクの排水時に貯水タンク内に空気を供給し排水を容易にする排水空気孔を、前記一端側に対向する他端側の天面に設け、前記注水口は前記排水空気孔を兼ねて形成し、前記排水口を密閉する着脱自在なタンクキャップを設け、前記タンクキャップに貯水空気孔を設け、前記タンクキャップの前記貯水空気孔の位置を前記貯水タンク内で波立ちが生じても波立ちが小さくなるようにタンク蓋の中心側に寄せて形成したものである。
【００１６】
この手段により、貯水空気孔から水滴が飛び出さないようにできる。
【発明の効果】
【００３１】
本発明によれば、機器本体の収容部に着脱自在に収容される貯水タンクと、この貯水タンクの天面に前記本体から水滴を受ける注水口と、前記貯水タンクに溜まった水を排水するように前記貯水タンクの天面における一端側に設けられる排水口とを備え、前記貯水タンクの排水時に貯水タンク内に空気を供給し排水を容易にする排水空気孔を、前記一端側に対向する他端側の天面に設け、前記注水口は前記排水空気孔を兼ねて形成し、前記排水口を密閉する着脱自在なタンクキャップを設け、前記タンクキャップに貯水空気孔を設け、前記タンクキャップの前記貯水空気孔の位置を前記貯水タンク内で波立ちが生じても波立ちが小さくなるようにタンク蓋の中心側に寄せて形成した貯水装置としたことにより、貯水タンク内で波立ちが生じても貯水空気孔は波立ちの小さいところにあり、したがって、貯水タンク内で水の波立ちが生じても、貯水タンクの周辺部に波立ちが発生することとなり、中心側で波立ちが小さく、中心側に設けた貯水空気孔からは水滴が飛び出さないという作用を有し、貯水空気孔から水滴が飛び出すのを防止でき、また、空気の流通を良くして排水がし易くなるという効果のある貯水装置を提供でき、また、ドレン水の流入がし易くなるとともに、タンクキャップが外し易くなる。
【発明を実施するための最良の形態】
【００３９】
本発明の請求項１記載の発明は、機器本体の収容部に着脱自在に収容される貯水タンクと、この貯水タンクの天面に前記本体から水滴を受ける注水口と、前記貯水タンクに溜まった水を排水するように前記貯水タンクの天面における一端側に設けられる排水口とを備え、前記貯水タンクの排水時に貯水タンク内に空気を供給し排水を容易にする排水空気孔を、前記一端側に対向する他端側の天面に設け、前記注水口は前記排水空気孔を兼ねて形成し、前記排水口を密閉する着脱自在なタンクキャップを設け、前記タンクキャップに貯水空気孔を設け、前記タンクキャップの前記貯水空気孔の位置を前記貯水タンク内で波立ちが生じても波立ちが小さくなるようにタンク蓋の中心側に寄せて形成した貯水装置としたことにより、貯水タンク内で波立ちが生じても貯水空気孔は波立ちの小さいところにあり、したがって、貯水タンク内で水の波立ちが生じても、貯水タンクの周辺部に波立ちが発生することとなり、中心側で波立ちが小さく、中心側に設けた貯水空気孔からは水滴が飛び出さないという作用を有し、貯水空気孔から水滴が飛び出すのを防止でき、また、貯水タンク内の水を排水口から排水するときに、排水口の反対側に設けた排水空気孔より順次空気が貯水タンク内に流入し、貯水タンク内が排水により負圧になることがなくなり、排水がし易くなるという作用を有し、また、注水口から貯水タンク内にドレン水が流入するときには、貯水タンクに設けた貯水空気孔より貯水タンク内の空気が順次出ていくこととなり、貯水タンクの貯水容量を確保することができるとともに、タンクキャップを外すときに貯水空気孔より空気が流入することによりタンクキャップが外し易くなる。
【００４５】
以下、本発明の実施の形態について図面を参照しながら説明する。
【００４６】
（実施の形態１）
図１〜図４に示すように、本体７に着脱自在に装着される貯水タンク８は、上方が開口したタンク部１と、タンク部１の上方開口を覆うタンク蓋２と、タンク部１とタンク蓋２を結合する結合手段３で構成されるタンク蓋２に注水口４、排水口５および取手手段６とを設け、タンク部１にカバー８ａ、８ｂを設けている。
【００４７】
そして、タンク蓋２の端部に形成される排水口５の反対側に貯水タンク８内に空気を流通して排水を容易にするように、注水口４を排水空気孔９を兼ねるように形成する。
【００４８】
また、貯水タンク８の天面に取手手段６を設けるための低位部１０を形成したことにより、低位部１０の両側に高位部１１が形成され、高位部１１に貯水タンク８内の空気を抜く貯水空気孔１２を設ける。排水口５にはタンクキャップ１３を設け、タンクキャップ１３に貯水空気孔１２Ａを設け、貯水空気孔１２Ａの位置はタンク蓋２の中心側寄りに設ける。
【００４９】
また、注水口４の一部に滴下した水滴の流入を円滑にする切り欠き部１４を設ける。
【００５０】
また、貯水タンク８の内壁面に水滴の流下状態を目視可能となるように窓部１５を設けるとともに、水位を調整するフロートスイッチ１６を設けて構成する。
【００５１】
上記構成において、貯水タンク８に貯水するときには、タンク部１にタンク蓋２を結合手段３で結合し形成した貯水タンク８を本体７内に収納し、本体７側から排水される水滴を注水口４より流入させて貯水を行なう。このとき、貯水タンク８の高位部１１に設けた貯水空気孔１２より貯水に伴い貯水タンク８内の空気が排出され、貯水タンク８の水位は低位部より高い水位まで貯水が可能となり、貯水容量が確保されることとなる。
【００５２】
そして、貯水タンク８内に貯水された水を排水するときには貯水タンク８の排水口５に設けられたタンクキャップ１３を取り外す。このとき、タンクキャップ１３に設けた貯水空気孔１２Ａより貯水タンク８内に空気が流入することにより、タンクキャップ１３が外し易くなる。また、開放された排水口５より排水するときには排水口５の反対側に設けた注水口４より貯水タンク８内に空気が流入し、注水口４が排水空気孔９を兼ねることとなり、排水口５からの排水がし易くなる。
【００５３】
さらに、タンクキャップ１３の貯水空気孔１２Ａの位置をタンク蓋２の中心側に寄せて形成していることにより、貯水タンク８内で波立ちが生じても貯水空気孔１２Ａは波立ちの小さいところにあり、貯水空気孔１２Ａより水滴が飛び出すことはない。
【００５４】
また、注水口４の一部に滴下してきた水滴の流入を円滑にする切り欠き部１４を設けていることにより注水口４の端部に水の膜が張ることがなくなり、水滴はスムーズに流れて貯水される。
【００５５】
なお、本実施の形態では、貯水空気孔１２をタンクキャップ１３に設け、貯水空気孔１２Ａを高位部１１に設けているが、貯水空気孔はいずれか１つとしても良い。
【００５６】
（参考例１）
図１および図５に示すように、タンク蓋２注水口４の下方出口から貯水タンク８の側壁１７に到るまでパイプ１８を案内手段１９として設け、注水口４から注水した水滴を天面からパイプ１８と側壁１７を介して水面に流入させるようにしている。側壁１７には貯水タンク８の内部を透視できる窓部１５を設け、パイプ１８を出た流水が窓部１５の内側を伝わるようにしている。
【００５７】
上記構成において、注水口４から流入した水滴は、注水口４の端部からパイプ１８により形成された案内手段１９により貯水タンク８の側壁１７に向け流出し、側壁１７に沿い下降して貯水タンク８に貯水される。このことにより、水面への着水音の発生することがなくなり、静音の貯水タンク８が得られる。
【００５８】
また、貯水タンク８に設けた窓１６から水滴の流下状態が視認できることにより、貯水タンク８へ水が貯えられる様子が直接観察されて、機器本体の運転状況が視覚的に理解できることとなる。
【００５９】
（参考例２）
図６に示すように、タンク蓋２Ａの排水口５Ａにタンクキャップ１３Ａを開閉可能に設けている。すなわち排水口５Ａの上部に設けたタンクキャップ１３Ａには支点１３Ｂを中心に左右均衡を保つように重錘２０を有し、貯水タンク８を傾けるに伴いタンク蓋２Ａも傾くが、タンクキャップ１３Ａは略水平状態を維持する構成としている。
【００６０】
上記構成において、貯水タンク８内の水を排水するときに、貯水タンク８を矢印方向に傾けると、タンク蓋２Ａの排水口５Ａに設けられているタンクキャップ１３Ａが略水平状態に維持されることとなり、点線の位置に保たれたタンクキャップ１３Ａとの排水口５Ａとの間に排水開口２１が形成され、排水を行なうことができる。このことにより、排水口５Ａは自動的に開き、片手で持った状態で排水が可能となる。
【産業上の利用可能性】
【００６１】
除湿機の貯水タンクとして利用する以外に、汚水や廃液などの液体を少しずつ貯えて、廃棄または後処理するための貯液タンクとしての用途にも適用できる。
【図面の簡単な説明】
【００６２】
【図１】本発明の実施の形態１の貯水装置の斜視図
【図２】同貯水装置の分解斜視図
【図３】同貯水装置を本体に取り付けた状態を示す斜視図
【図４】（イ）同貯水装置の注水口に設けた切り欠き部を示す斜視図（ロ）同要部拡大図
【図５】参考例１の貯水装置の案内手段を示す斜視図
【図６】参考例２の貯水装置の排水時の状態を示す断面図
【図７】従来のドレンタンクの斜視図
【図８】同ドレンタンクの排水時の状態を示す側面図
【符号の説明】
【００６３】
４      注水口
４Ａ    注水口
５      排水口
５Ａ    排水口
７      本体
８      貯水タンク
９      排水空気孔
１０    低位部
１２    貯水空気孔
１２Ａ  貯水空気孔
１３    タンクキャップ
１３Ａ  タンクキャップ
１４    切り欠き部
１５    窓部
１７    内壁面
１８    パイプ
１９    案内手段
２１    排水開口
【図１】
0004529461.tif 000002
【図２】
0004529461.tif 000003
【図３】
0004529461.tif 000004
【図４】
0004529461.tif 000005
【図５】
0004529461.tif 000006
【図６】
0004529461.tif 000007
【図７】
0004529461.tif 000008
【図８】
0004529461.tif 000009